(57)【要約】【目的】既設屋根を撤去しつつ改修屋根又は新設折板屋根を効率的に施工することができる折板屋根改修工法とすること。【構成】既設構造材４上に設置固着される脚座板２３が下端に形成された二本の脚部２１と頂部２２とを有する既設タイトフレーム２と、既設タイトフレーム２に支持された既設の折板屋根板材１とを備えた既設折板屋根Ａにおいて、既設タイトフレーム２から既設の折板屋根板材１を取り外すこと。隣接する既設タイトフレーム２間の脚座板２３上に、無溶接手段にて装着可能な改修タイトフレームＢ1を配置し、改修タイトフレームＢ1を既設構造材４上に装着し、改修タイトフレームＢ1を介して改修用の折板屋根板材１を装着して改修折板屋根Ｂを施工すること。【選択図】      図１
2018138718.tif 000002
【特許請求の範囲】
【請求項１】
既設構造材上に設置固着される脚座板が下端に形成された二本の脚部と頂部とを有する既設タイトフレームと、該既設タイトフレームに支持された既設の折板屋根板材とを備えた既設折板屋根において、前記既設タイトフレームから既設の前記折板屋根板材を取り外し、隣接する前記既設タイトフレーム間の前記脚座板上に、無溶接手段にて装着可能な改修タイトフレームを配置し、該改修タイトフレームを前記既設構造材上に装着し、前記改修タイトフレームを介して改修用の前記折板屋根板材を装着して改修折板屋根を施工してなることを特徴とする折板屋根改修工法。
【請求項２】
請求項１において、前記既設タイトフレーム全体を前記既設構造材上に残し、前記既設タイトフレームの頂部の上方に前記改修折板屋根の底部が位置するようにしてなることを特徴とする折板屋根改修工法。
【請求項３】
請求項１において、前記既設タイトフレームの台形部の一部を切断し、該既設タイトフレームを高さ方向に低く修めてなることを特徴とする折板屋根改修工法。
【請求項４】
請求項１において、前記既設タイトフレームは一部を切断すると共に前記構造材から撤去してなることを特徴とする折板屋根改修工法。
【請求項５】
請求項１，２，３又は４のいずれか１項の記載において、前記改修タイトフレームは、受部本体と、該受部本体が設置されベース板の幅方向両側に垂下状側板が形成され、且つ両該垂下状側板には前記既設タイトフレームの前記脚座板を収納可能な小切欠き部が形成された台座と、断面コ字形状で且つ上片側に設けられた締付螺子部を介して前記台座に締付固定される構成とし、前記台座は前記小切欠き部に前記脚座板を収納しつつ前記既設構造材上に設置されてなることを特徴とする折板屋根改修工法。
【請求項６】
請求項１，２，３又は４のいずれか１項の記載において、前記改修タイトフレームは、受部本体と、該受部本体が設置されベース板の幅方向両側に垂下状側板が形成された台座と、断面コ字形状で且つ上片側に設けられた締付螺子部を介して前記台座に締付固定される構成とし、前記既設構造材上と前記台座下端との間には前記脚座板と同等以上板厚寸法を有するスペーサが設けられてなることを特徴とする折板屋根改修工法。
【発明の詳細な説明】
【技術分野】
【０００１】
本発明は、既設屋根を撤去しつつ改修屋根又は新設折板屋根を効率的に施工することができる折板屋根改修工法に関する。
【背景技術】
【０００２】
近年、過去に建設した多くの建築物が一斉に老朽化し、このような老朽化した建築物が増加する傾向にある。特に、屋根は、最も過酷な条件に晒されているため、他の部分に比較して特に老朽化の度合いが激しいものである。そこで、今後、このような老朽化した建築物の改修工事の増加が見込まれている。
【０００３】
特に、老朽化した金属製の折板屋根が増加しており、その改修が必要とされている。その改修には、種々の工法が存在している。改修工事は、一般的に、既設の屋根の上にそのまま新たな屋根を施工したり、或いは既設屋根を撤去してから改修折板屋根（新設折板屋根）を施工するものである。既設屋根の上に改修（新設）屋根を葺成するタイプは、簡単且つ低価格にできることから多く使用されている。このように既設屋根上に改修（新設）屋根を葺成することが多く採用され、この種の技術開発も多く行われている。しかし、改修工事を行うための条件として、既設屋根を支持する既設のタイトフレームが長年にわたる使用であっても、まだ継続して十分に使用できるものであるか否か等の種々の条件がある。
【先行技術文献】
【特許文献】
【０００４】
【特許文献１】特開２０１４−４０７２０号公報
【発明の開示】
【発明が解決しようとする課題】
【０００５】
これに対して、極めて老朽化した既設屋根全体又は一部撤去したまま、該既設屋根上に改修（新設）屋根を葺成することが危険且つ不都合な場合も存在する。例えば、工場，倉庫等における既設屋根の下に天井板等が備わっていない建築物では、老朽化した既設屋根を構成する金属製の折板屋根板材或いはこれに関連する部品等が腐食し、その一部が室内に落下するおそれがある。
【０００６】
このような状態では、建築物内部で作業員は危険な状況で作業することになる。そこで、既設の折板屋根板材だけを取り外し、改修（新設）折板屋根板材を葺く方法と、既設タイトフレームごと取り外し、改修する方法が存在する。既設タイトフレームの老朽化により、再利用が不可能であることが確認された場合は、後者の方法を選択することになる。
【０００７】
しかし、金属製屋根を有する古い建物では、金属屋根板を支持するタイトフレームは梁又は母屋等の鉄骨既設構造材に対して溶接にて固着されていることが多い。そのため、タイトフレームを既設構造材から撤去する作業は、溶接部分を外すための切断時に火花が発生したり、撤去物が高所から落下する等のことで、作業員及び周辺の人々に対して極めて危険で安全確保が極めて困難となり、またコストも高くなるものであった。そこで、本発明の目的は、既設の金属折板屋根を構成する部材の撤去を必要最小限に抑え、改修屋根（新設折板屋根と称してもよい）を効率的に葺成することができる改修折板屋根工法を提供することにある。
【課題を解決するための手段】
【０００８】
そこで、発明者は上記課題を解決すべく鋭意，研究を重ねた結果、請求項１の発明を、既設構造材上に設置固着される脚座板が下端に形成された二本の脚部と頂部とを有する既設タイトフレームと、該既設タイトフレームに支持された既設の折板屋根板材とを備えた既設折板屋根において、前記既設タイトフレームから既設の前記折板屋根板材を取り外し、隣接する前記既設タイトフレーム間の前記脚座板上に、無溶接手段にて装着可能な改修タイトフレームを配置し、該改修タイトフレームを前記既設構造材上に装着し、前記改修タイトフレームを介して改修用の前記折板屋根板材を装着して改修折板屋根を施工してなる折板屋根改修工法としたことにより、上記課題を解決した。
【０００９】
請求項２の発明を、請求項１において、前記既設タイトフレーム全体を前記既設構造材上に残し、前記既設タイトフレームの頂部の上方に前記改修折板屋根の底部が位置するようにしてなる折板屋根改修工法としたことにより、上記課題を解決した。請求項３の発明を、請求項１において、前記既設タイトフレームの一部を切断し、該既設タイトフレームを高さ方向に低く修めてなる折板屋根改修工法としたことにより、上記課題を解決した。
【００１０】
請求項４の発明を、請求項１において、前記既設タイトフレームは一部を切断すると共に前記構造材から撤去してなる折板屋根改修工法としたことにより、上記課題を解決した。請求項５の発明を、請求項１，２，３又は４のいずれか１項の記載において、前記改修タイトフレームは、受部本体と、該受部本体が設置されベース板の幅方向両側に垂下状側板が形成され、且つ両該垂下状側板には前記既設タイトフレームの前記脚座板を収納可能な小切欠き部が形成された台座と、断面コ字形状で且つ上片側に設けられた締付螺子部を介して前記台座に締付固定される構成とし、前記台座は前記小切欠き部に前記脚座板を収納しつつ前記既設構造材上に設置されてなる折板屋根改修工法としたことにより、上記課題を解決した。
【００１１】
請求項６の発明を、請求項１，２，３又は４のいずれか１項の記載において、前記改修タイトフレームは、受部本体と、該受部本体が設置されベース板の幅方向両側に垂下状側板が形成された台座と、断面コ字形状で且つ上片側に設けられた締付螺子部を介して前記台座に締付固定される構成とし、前記既設構造材上と前記台座下端との間には前記脚座板と同等以上板厚寸法を有するスペーサが設けられてなる折板屋根改修工法としたことにより、上記課題を解決した。
【発明の効果】
【００１２】
請求項１の発明では、既設構造材上に所定間隔に配置された二本の脚部と頂部とを有する台形状の既設タイトフレームから折板屋根板材を取り外した後、既設構造材上に残された既設タイトフレームの脚座板上に無溶接手段にて装着可能な改修タイトフレームを装着し、該改修タイトフレームを介して改修用の折板屋根板材を装着して改修折板屋根を施工するものである。これによって、既設折板屋根の解体作業にかかる工程を少なくして、改修折板屋根が施工でき、改修折板屋根の施工における作業効率を向上させると共に施工を極めて簡単にすることができる。
【００１３】
請求項２の発明では、前記既設タイトフレーム全体を前記既設構造材上に残し、前記既設タイトフレームの頂部の上方に前記改修折板屋根の底部が位置するようにした折板屋根改修工法としたことにより、既設折板屋根の解体を最小限に抑えて改修折板屋根が施工でき、改修工事をより一層、簡単にすると共に、この工事に係る作業員の負担を大幅に減少し、極めて少ない工程にて改修（新設）折板屋根を施工することができる。
【００１４】
請求項３の発明では、既設タイトフレームの台形部の一部を切断し、該既設タイトフレームを高さ方向に低く修める折板屋根改修工法としたことにより、既設タイトフレームを高さ方向に低くすることができ、改修タイトフレームについても高さの低いものが使用でき、既設折板屋根と略同等の改修折板屋根を施工することができる。
【００１５】
請求項４の発明では、前記既設タイトフレームの台形部を撤去することにより、該台形部は存在せず、したがって、改修折板屋根は高さ方向に低く設定することができる。これによって、改修タイトフレームは受部本体の高さも低いものにでき、既設折板屋根と略同等の改修折板屋根を施工することができる。
【００１６】
また、既設タイトフレームの台形部分が撤去されることにより、工場や倉庫等の屋根を支持する鉄骨梁等が露出する建造物等においては、下から見上げた場合に既設構造材上の既設タイトフレームの残存部分が既設構造材によって隠される。したがって、下から見上げたときには、既設構造材上における既設タイトフレームの残存部分は見えない構造となり、天井の美観が損なわれることを防止できる。
【００１７】
請求項５の発明では、前記改修タイトフレームは、台座の両該垂下状側板には前記既設タイトフレームの前記脚座板を収納可能な小切欠き部が形成されたことにより、改修タイトフレームは、既設タイトフレームの脚座板箇所とは干渉することなく、既設構造材上に安定した状態で設置することができる。請求項６の発明では、スペーサを設けたことにより、改修タイトフレームは、既設タイトフレームの脚座板とは干渉することなく既設構造材上に設置することができる。
【図面の簡単な説明】
【００１８】
【図１】（Ａ）乃至（Ｄ）は本発明の施工方法の第１実施形態に基づいて馳締タイプの改修折板屋根を施工する工程を示す正面図である。
【図２】（Ａ）乃至（Ｅ）は本発明の施工方法の第２実施形態に基づいて馳締タイプの改修折板屋根を施工する工程を示す正面図である。
【図３】（Ａ）は本発明の第１実施形態の施工方法による改修タイトフレームを装着した状態の拡大正面図、（Ｂ）は本発明の第２実施形態の施工方法による改修タイトフレームを装着した状態の拡大正面図、（Ｃ）は本発明の第２実施形態の別の施工方法による改修タイトフレームを装着した状態の拡大正面図である。
【図４】（Ａ）は改修タイトフレームの斜視図、（Ｂ）は改修タイトフレームの側面図、（Ｃ）は改修タイトフレームを既設構造材のフランジに装着した状態の一部断面とした要部側面図、（Ｄ）は改修タイトフレームを既設構造材のフランジにスペーサを用いて装着した状態の一部断面とした要部側面図である。
【図５】（Ａ）乃至（Ｄ）は本発明の切断の第１実施形態に基づいて重合タイプの改修折板屋根を施工する工程を示す正面図である。
【発明を実施するための形態】
【００１９】
以下、本発明の実施形態について図面に基づいて説明する。本発明には、複数の実施形態が存在する。本発明は、既設の既設折板屋根Ａの解体工程と改修折板屋根Ｂの施工工程の二つの工程を備えたものである（図１，図２参照）。ここで、改修折板屋根Ｂは、新設折板屋根Ｂと称してもかまわない。
【００２０】
既設折板屋根Ａは、既設の折板屋根板材１，既設タイトフレーム２を備えている。改修折板屋根Ｂは、無溶接にて既設構造材４に装着できる改修タイトフレームＢ1と、改修（
新設）用の折板屋根板材５とを備えたものである。本発明において無溶接手段とは、溶接を使用することなく、既設構造材４のフランジ部４１に係止又は嵌合等により固定方法にて固定する手段のことをいう。既設構造材４は、既設折板屋根Ａの撤去後、改修折板屋根Ｂの施工に使用される（図１乃至図３参照）。
【００２１】
既設折板屋根Ａ及び改修折板屋根Ｂは、種々の折板タイプが存在するものであり、馳締タイプ(図１参照)及び台形状の山形部同士を重合して連結する重合タイプ（図５参照）等が存在する。既設折板屋根Ａを構成する折板屋根板材１と、改修折板屋根Ｂを構成する折板屋根板材５とは、共に同一構造である。
【００２２】
ここでは、既設折板屋根Ａと改修折板屋根Ｂとを構成するそれぞれの折板屋根板材を区別するために、既設折板屋根Ａを構成する既設の折板屋根板材を、単に折板屋根板材１と称し、改修折板屋根Ｂを構成する改修用又は新設用の折板屋根板材を単に折板屋根板材５と称する。
【００２３】
既設折板屋根Ａは、母屋等の既設構造材４上に既設タイトフレーム２と吊子３とを介して馳締タイプの屋根として施工されたものである〔図１(Ａ)参照〕。ここで、折板屋根板材１及び折板屋根板材５は、その長手方向をＸ方向とし、長手方向に直交する方向をＹ方向と称する。本発明においては、折板屋根板材１及び折板屋根板材５のＹ方向は、幅方向となる（図１乃至図４等参照）。また、図１，図２，図３及び図５において、Ｘ方向は、図が記載された紙面に対して直交する方向であり、そのためにＸ方向の図示は省略する。
【００２４】
主板１１のＹ方向（幅方向）両側部分より立上り側部１２，１２が形成され、両立上り側部１２，１２の両端より頂部１３，１３が形成され、該頂部１３，１３の一方の端から下馳部１４ａが形成され，他方の頂部１３の端には上馳部１４ｂが形成されている〔図１(Ａ)，図２（Ａ）参照〕。前記折板屋根板材１の主板１１，立上り側部１２，頂部１３によって、既設折板屋根Ａは所定間隔をおいて複数の山形部が連続する構成となり、前記主板１１は底部を構成し、立上り側部１２と頂部１３とによって山形部が構成される〔図１(Ａ)，図２（Ａ）参照〕。
【００２５】
また、改修折板屋根Ｂを構成する折板屋根板材５は、主板５１のＹ方向（幅方向）両側部分より立上り側部５２，５２が形成され、両立上り側部５２，５２の両端より頂部５３，５３が形成され、該頂部５３，５３の一方の端から下馳部５４ａが形成され、他方の頂部５３の端には上馳部５４ｂが形成されている。前記折板屋根板材５の主板５１，立上り側部５２，頂部５３によって、改修折板屋根Ｂは所定間隔をおいて複数の山形部が連続する構成となり、前記主板５１は底部を構成し、立上り側部５２と頂部５３とによって山形部が構成される〔図１（Ｄ），図２（Ｅ）参照〕。
【００２６】
既設構造材４のフランジ４１のＹ方向に沿って所定間隔をおいて既設タイトフレーム２が装着されている〔図１(Ａ)，図２（Ａ）参照〕。そして、既設タイトフレーム２，２，…に既設の折板屋根板材１，１…が複数並設される。隣接する折板屋根板１，１同士の下馳部１４ａと上馳部１４ｂとは、吊子３と共に馳締され、既設タイトフレーム２上に固定されている。このような構成にて既設折板屋根Ａが構成されている〔図１（Ａ），図２（Ａ）参照〕。既設構造材４は、型鋼であり、Ｈ形鋼，Ｉ型鋼又は溝形鋼等が使用される。
【００２７】
重合タイプの既設折板屋根Ａは、折板屋根板材１の主板１１のＹ方向両側端に台形半山形状の山形部１５，１５を有している。そして、隣接する折板屋根板材１，１の山形部１５，１５同士を重合させて既設折板屋根Ａが構成されている〔図５（Ａ）参照〕。この場合には、既設タイトフレーム２の頂部は平坦状に構成され、ボルト軸部２４が設けられている。そして、山形部１５，１５の山頂部同士が重合されると共に、その山頂部同士に前記ボルト軸部２４が貫通し、ナットがボルト軸部２４に締め付けられて固定されている。
【００２８】
同様に、改修折板屋根Ｂにおける折板屋根板材５についてもＹ方向両側に山形部５５，５５を有している。そして、隣接する折板屋根板材５，５の山形部５５，５５同士を重合させて改修折板屋根Ｂを施工するものである〔図５（Ｄ）参照〕。この場合には、既設タイトフレーム２の頂部７３は平坦状に構成され、該頂部７３上にはボルト軸部７４が設けられている。そして、山形部５５，５５の山頂部同士が重合されると共に、その山頂部同士に前記ボルト軸部７４が貫通し、ナットがボルト軸部７４に締め付けられて固定されている〔図５（Ｄ）参照〕。
【００２９】
次に、既設折板屋根Ａの解体工程と、改修折板屋根Ｂの施工工程について説明する。解体工程では、既設タイトフレーム２の処置手段によって、二つの方法の実施形態が存在する。その方法の第１実施形態では、既設構造材４上にそのまま残しておく場合であり〔図１，図３（Ａ）参照〕、第２実施形態では既設タイトフレーム２の一部を撤去する場合である〔図２，図３（Ｂ），（Ｃ）参照〕。
【００３０】
第１及び第２実施形態のいずれについても、既設タイトフレーム２から隣接する既設の折板屋根板材１，１の下馳部１４ａと上馳部１５ｂとを分離する作業が存在する。〔図１（Ａ），（Ｂ），図２（Ａ），（Ｂ）参照〕。このとき、下馳部１４ａ或いは上馳部１４ｂと共に吊子３も既設タイトフレーム２から分離される。そして、既設構造材４のフランジ４１上には多数の既設タイトフレーム２，２，…が残った状態にある。
【００３１】
ここで、既設タイトフレーム２は、２個の脚部２１，２１と、頂部２２とから構成されている。両脚部２１，２１の下端には脚座板２３，２３が形成されている。前記頂部２２と両脚部２１，２１とによって略台形状の台形部が構成されている。両脚座板２３，２３は、水平且つ平坦板状に形成されたものであり、既設タイトフレーム２を構成する帯板金属材の両脚部２１，２１箇所の下方が折曲されることによって形成されたものである。既設タイトフレーム２は、脚座板２３が既設構造材４のフランジ部４１上に設置且つ溶接等の固着手段により固着されている。なお、既設タイトフレーム２は、単体としたものや、或いは複数個が前記脚座板２３によって連続するタイプも存在する。
【００３２】
施工の第１実施形態では、既設構造材４上の既設タイトフレーム２から全部の既設の折板屋根板材１，１…を外し、該折板屋根板材１を既設構造材４から撤去する〔図１（Ａ），（Ｂ）参照〕。そして、既設タイトフレーム２は、全部を既設構造材４上に残しておく。既設構造材４上に残された既設タイトフレーム２の脚座板２３の部分に改修タイトフレームＢ1を設置する〔図１（Ｃ）参照〕。改修タイトフレームＢ1について詳細は後述するが、既設構造材４に対して装着設置に際して溶接手段は採用しないものである。つまり、改修タイトフレームＢ1は、無溶接タイプのものである。
【００３３】
次いで、改修タイトフレームＢ1の頂部７３に改修用の折板屋根板材５を配置し、吊子
３を介して下馳部５４ａと上馳部５４ｂとを馳締して隣接する折板屋根板材５，５同士を連結し、これを順次繰り返すことにより改修折板屋根Ｂを施工する〔図１（Ｄ）参照〕。このとき、改修折板屋根Ｂを構成する折板屋根板材５の主板５１、つまり改修折板屋根Ｂの底部（主板５１）となる箇所が、既設タイトフレーム２の頂部と同一位置又は略同一位置で且つ上方に位置する構成となる〔図１（Ｄ），図３（Ａ）参照〕。
【００３４】
第１実施形態の施工では、既設構造材４上から既設折板屋根Ａの既設の折板屋根板材１のみを撤去し、既設タイトフレーム２はそのまま既設構造材４上に残しておくので、撤去作業にかかる工程が少なくなり、極めて短期間に改修折板屋根Ｂの施工ができ、その施工も簡単できる。
【００３５】
施工の第２実施形態では、既設構造材４上から既設構造材４を構成する折板屋根板材１を既設タイトフレーム２から外し、折板屋根板材１を既設構造材４から撤去する〔図２（Ａ），（Ｂ）参照〕。ここまでは、施工の第１実施形態と同様である。次に、既設タイトフレーム２の台形部の一部、つまり脚部２１，２１又は頂部２２の何れかを切断し、既設タイトフレーム２の高さ方向を元の高さよりも低くなるように処理するものである。ここで、既設タイトフレーム２の台形部の一部を切断するとは、切断する箇所を言うものであって、台形部の１箇所のみを切断するものとは限らず、２箇所以上の複数箇所を切断することも含まれる。
【００３６】
既設タイトフレーム２の一部を撤去する場合には、少なくとも既設タイトフレーム２の脚部２１，２１と頂部２２にて構成された台形部の一部分が切断される。そして、その切断と共に、既設タイトフレーム２を元の高さからその高さ方向において低くする処理が行われる。
【００３７】
この高さ方向に低くする処理とは、既設タイトフレーム２の台形部の一部が切断されて、既設構造材４上に残った既設タイトフレーム２の残存部分を、既設構造材４のフランジ４１上に押し倒す等の変形手段にて、前記残存部分が高さ方向に低くなるようにすることをいう。既設タイトフレーム２に対する切断は、１箇所以上である。
【００３８】
切断に使用される切断機９は、手持ちタイプで、小型且つ軽量であることが好ましい。切断機９の切断動作（手段）は、剪断とする。切断機９は、相互に可動する刃部材又は、一方を可動とし、他方を固定とした刃部材を備えたものが使用される。切断に使用する動力は、油圧機構，電動機構或いは手動によるものである。なお、切断作業に、高速回転する円板状の砥石，鋸，ガスによる溶断等の高温、発火性，切粉発生のあるものは、火災防止の観点から採用しないことが好ましい。
【００３９】
既設タイトフレーム２に対する切断機９による切断箇所には、大体において３通りが存在する。まず、一つは、既設タイトフレーム２の両脚部２１，２１のそれぞれを既設構造材４との付根箇所付近で切断するものである〔図２（Ｂ），（Ｃ）参照〕。これによって、既設タイトフレーム２の台形部分の大部分が切断されることとなり、既設構造材４のフランジ４１上に残る既設タイトフレーム２の残存部分は、両脚部２１，２１の下方の僅かな一部となる。
【００４０】
既設構造材４のフランジ４１上に残された両脚部２１，２１間には、空隙が形成されることとなる。既設構造材４のフランジ４１上に残された既設タイトフレーム２の両脚部２１，２１は、下方の部分しか残らず、既設タイトフレーム２の本来の高さから相当低くなっており、高さ方向に低くする処理は、両脚部２１，２１の切断と共に完了したことになる〔図３（Ｂ）参照〕。
【００４１】
二つ目及び三つ目は、既設タイトフレーム２の両脚部２１，２１の上方位置の切断及び頂部２２の切断である。フランジ４１上に残された既設タイトフレーム２の両脚部２１，２１の部分はその上方付近まで存在するので、両脚部２１，２１を互いに相手側に向かって押した倒すことによって既設タイトフレーム２の高さ方向を元の高さよりも低くする〔図３（Ｃ）参照〕。
【００４２】
以上の既設タイトフレーム２の切断作業及び高さ方向を低くする処理が完了すると、既設構造材４のフランジ４１上において残された脚座板２３箇所に改修タイトフレームＢ1
を設置する〔図２（Ｄ）参照〕。つまり、既設構造材４のフランジ部４１上で、既設タイトフレーム２の全体又は台形部の一部が残存しており、その残存する脚座板２３上に改修タイトフレームＢ1を設置する。そして、既設タイトフレーム２を改修折板屋根Ｂが施工
される〔図２（Ｅ）参照〕。
【００４３】
次に改修タイトフレームＢ1の具体的な実施形態を図４に基づいて説明する。まず、こ
の説明において方向を示す文言として、既設の折板屋根板材１と同様に、Ｘ方向及びＹ方向を使用する。したがって、施工される改修折板屋根Ｂを構成する折板屋根板材５，５，…が並列される方向をＹ方向とし、各折板建築用板材５の長手方向となる方向をＸ方向とする。よって、既設構造材４の長手方向はＹ方向となる。
【００４４】
改修タイトフレームＢ1は、前述したように、既設構造材４に対して溶接を使用しない
で装着される無溶接タイプのものである。このような改修タイトフレームＢ1は、種々存
在するものであり、その一例を説明する。改修タイトフレームＢ1は、台座６と、受部本体７と、係止部材８とからなる。台座６は、略長方形状のベース板６１と、垂下状側部６２，６２とからなる。前記ベース板６１には、長手方向に沿って２個の貫通孔６３，６３が所定間隔をおいて形成されている〔図４（Ａ）参照〕。
【００４５】
さらに、両前記垂下状側部６２，６２には、長手方向の中間箇所に長方形状の小切欠き部６４，６４が形成されている。両該小切欠き部６４，６４は同等形状であり、且つ前記垂下状側部６２，６２の下端側が開放された略長方形状の空隙となっている〔図４（Ａ），（Ｂ）参照〕。両前記小切欠き部６４，６４には、前記既設構造材４のフランジ部４１上に残された既設タイトフレーム２の脚座板２３が収納される構成となっている〔図４（Ｃ）参照〕。
【００４６】
つまり、小切欠き部６４，６４が台座６の両垂下状側部６２，６２に形成されることによって、改修タイトフレームＢ1を既設構造材４のフランジ部４１上における脚座板２３
が残された箇所に配置しても、両前記小切欠き部６４，６４内に既設タイトフレーム２の脚座板２３が収まることによって〔図４（Ｃ）参照〕、台座６と脚座板２３とが相互に干渉することなく、改修タイトフレームＢ１を既設構造材４上の脚座板２３箇所に極めて安定した状態で設置することができる。
【００４７】
次に、受部本体７は、板状且つ柱形状に形成され、前記台座６のベース板６１の長手方向（Ｘ方向）の中心位置に設置される。受部本体７の柱状部７１には、基部７２と頂部７３とが存在する。柱状部７１は、ベース板６１上に垂直に立ち上がる。頂部７３の形状は段差状又は平坦状であり、馳締タイプの改修用の折板屋根板材５を使用する場合には吊子３を必要とするので段差状が好適である。
【００４８】
頂部７３には必要に応じてボルト軸部７４が装着されており、吊子３の装着に使用される。第１実施形態の施工方法では、受部本体７は、その高さ方向寸法が大きくなる〔図１（Ｃ），（Ｄ），図３（Ａ）参照〕。具体的には、前記受部本体７の高さ方向寸法は、既設折板屋根Ａと改修折板屋根Ｂの高さを合わせたもの以上となる。
【００４９】
係止部材８は、断面略コ字形状の係止本体８１と締付螺子部８２とから構成されている。係止本体８１は、金属板材を断面略コ字形状に形成した部材であり、既設構造材４のフランジ部４１のＸ方向両端がコ字形状の係止部材３に対して挿入可能となっている。係止本体８１の上片には、締付螺子部８２が装着され、該締付螺子部８２は、螺子軸部８２ａと、ナット８２ｂとから構成され、螺子軸部８２ａにナット８２ｂが螺合する構成となっている。
【００５０】
台座６の幅方向（Ｙ方向）両側の両垂下状側部６２，６２内に、係止部材８の係止本体８１の幅方向（Ｙ方向）が収納できる。前記係止部材８は、一つの台座６に対して２個備えられ、それぞれの係止部材８の締付螺子部８２ａの螺子軸部８２ａが、台座１のベース板１１の下面側よりそれぞれの貫通孔６３に挿入され、ベース板１１の上面側から前記螺子軸部８２ａにナット８２ｂが螺合される。
【００５１】
改修タイトフレームＢ1は、二つの係止部材８，８の断面略コ字形状の係止本体８１，
８１とで、既設構造材４のフランジ部４１のＸ方向両端を挟持すると共に係止する〔図４（Ｃ），（Ｄ）参照〕。そして、締付螺子部８２の螺子軸部８２ａに対してナット８２ｂを締め付けることにより、既設構造材４のフランジ４１が台座６の垂下状側部６２の下端と係止部材８，８とによって締め付けられ、台座６の垂下状側部６２が既設構造材４のフランジ４１に固定されることにより、改修タイトフレームＢ1が既設構造材４に装着され
る。
【００５２】
また、改修タイトフレームＢ1の台座６の両垂下状側部６２，６２に小切欠き部６４，
６４が形成されない実施形態も存在する〔図４（Ｄ）参照〕。この実施形態では、スペーサ６５が使用される。該スペーサ６５は、既設タイトフレーム２の脚座板２３と同等以上の厚さ寸法を有するものである。スペーサ６５は、既設構造材４のフランジ部４１上で且つ前記脚座板２３のＸ方向における両側に載置される。
【００５３】
そして、スペーサ６５が、フランジ部４１上で、且つ前記脚座板２３のＸ方向における両側にそれぞれ配置され、改修タイトフレームＢ1の両垂下状側部６２，６２と、フラン
ジ部４１とで、前記スペーサ６５が挟持固着される。該スペーサ６５の厚さ寸法は、脚座板２３の厚さ寸法と略同等以上としているので、脚座板２３と、改修タイトフレームＢ1
の台座６とは干渉することなく、改修タイトフレームＢ1を既設構造材４のフランジ部４
１に安定した状態で設置することができる。
【符号の説明】
【００５４】
Ａ…既設折板屋、１…既設の折板屋根板材、２…既設タイトフレーム、２１…脚部、
２２…頂部、２３…脚座板、４…既設構造材、Ｂ…改修折板屋根、
Ｂ1…改修タイトフレーム、６…台座、６１…ベース板、６２…垂下状側板、
６４…小切欠き部６４、６５…スペーサ、８２…締付螺子部、７…受部本体。
【図１】
2018138718.tif 000003
【図２】
2018138718.tif 000004
【図３】
2018138718.tif 000005
【図４】
2018138718.tif 000006
【図５】
2018138718.tif 000007